【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
クラウドソーシング測定結果を第１のサーバに報告するためのモバイルデバイスにおける方法であって、
第２のサーバから要求を受信することと、ここにおいて、前記要求は第１の制御パラメータと第１の測定パラメータとを備える、
前記第２のサーバに応答を返すことと、ここにおいて、前記応答は第２の制御パラメータと第２の測定パラメータとを備える、
第１の複数の異なる時間において測定結果を取得することと、ここにおいて、前記測定結果は前記第２の測定パラメータに基づき、前記第１の複数の異なる時間は前記第２の制御パラメータに基づく、
第２の複数の異なる時間において、複数の測定結果報告の中で前記測定結果を前記第１のサーバに送信することと、ここにおいて、前記第２の複数の異なる時間は前記第２の制御パラメータに基づく、
を備える、方法。
【請求項２】
前記第１のサーバがデータサーバであり、前記第２のサーバが制御サーバである、請求項１に記載の方法。
【請求項３】
前記第２の制御パラメータが前記第１の制御パラメータと等価である、請求項１に記載の方法。
【請求項４】
前記第２の測定パラメータが前記第１の測定パラメータと等価であり、または前記第１の測定パラメータのサブセットである、請求項１に記載の方法。
【請求項５】
前記第１の制御パラメータおよび前記第２の制御パラメータが各々、アクティブ化トリガパラメータ、測定トリガパラメータ、報告トリガパラメータ、および持続時間トリガパラメータのうちの少なくとも１つを備える、請求項１に記載の方法。
【請求項６】
前記アクティブ化トリガパラメータが、前記モバイルデバイスにおいてクラウドソーシングをアクティブ化および非アクティブ化するための条件を備え、前記第１の複数の異なる時間が、クラウドソーシングがアクティブ化される時間を備える、請求項５に記載の方法。
【請求項７】
前記アクティブ化トリガパラメータが、地理的エリアパラメータ、アクティブ化エリアパラメータ、非アクティブ化エリアパラメータ、国ネットワークパラメータ、検出される送信機パラメータ、ターゲット運動状態パラメータ、環境パラメータ、論理トリガ組合せパラメータ、アクティブ化遅延パラメータ、および非アクティブ化遅延パラメータのうちの少なくとも１つを備える、請求項６に記載の方法。
【請求項８】
前記測定トリガパラメータが、前記測定結果を取得するための条件を備え、前記第１の複数の異なる時間が、前記条件によって決定される時間を備える、請求項５に記載の方法。
【請求項９】
前記測定トリガパラメータが、測定周期パラメータ、測定移動パラメータ、測定階変化パラメータ、測定サービングセルまたはＡＰ変化パラメータ、および論理測定組合せパラメータのうちの少なくとも１つを備える、請求項８に記載の方法。
【請求項１０】
前記報告トリガパラメータが、前記測定結果を前記第１のサーバに送信するための条件を備え、前記第２の複数の異なる時間が、前記条件によって決定される時間を備える、請求項５に記載の方法。
【請求項１１】
前記報告トリガパラメータが、リアルタイムパラメータ、準リアルタイムパラメータ、およびバッチパラメータのうちの少なくとも１つを備える、請求項１０に記載の方法。
【請求項１２】
前記リアルタイムパラメータが、前記報告トリガパラメータには含まれるが前記準リアルタイムパラメータまたは前記バッチパラメータには含まれず、前記第２の複数の異なる時間が、前記第１の複数の異なる時間または前記第１の複数の異なる時間のサブセットと等価である、請求項１１に記載の方法。
【請求項１３】
前記準リアルタイムパラメータが、前記報告トリガパラメータには含まれるが前記リアルタイムパラメータまたは前記バッチパラメータには含まれず、前記第２の複数の異なる時間のサブセットが、前記第１の複数の異なる時間のサブセットと等価である、請求項１１に記載の方法。
【請求項１４】
前記バッチパラメータが、前記報告トリガパラメータには含まれるが前記リアルタイムパラメータまたは前記準リアルタイムパラメータには含まれず、
前記第１の複数の異なる時間の各々において取得される前記測定結果を記憶することと、
前記第２の複数の異なる時間の各々において現在記憶されているすべての測定結果を前記第１のサーバに送信することと、をさらに備え、前記第２の複数の異なる時間の各々が前記バッチパラメータに基づく、請求項１１に記載の方法。
【請求項１５】
前記バッチパラメータが、バッチ報告移動パラメータ、バッチサービングネットワーク変化報告パラメータ、バッチアクセスネットワーク制限パラメータ、およびバッチ記憶オーバーフローパラメータのうちの少なくとも１つを備える、請求項１４に記載の方法。
【請求項１６】
前記持続時間トリガパラメータが、クラウドソーシング開始時間パラメータとクラウドソーシング持続時間パラメータのうちの少なくとも１つを備える、請求項５に記載の方法。
【請求項１７】
前記要求、前記応答、および各測定結果報告が、セッションＩＤを備える、請求項１に記載の方法。
【請求項１８】
前記応答および各測定結果報告の中の前記セッションＩＤが、固定された匿名の値を備える、請求項１７に記載の方法。
【請求項１９】
前記第１のサーバおよび前記第２のサーバのうちの１つからクラウドソーシング問合せを受信することと、
前記第１のサーバおよび前記第２のサーバのうちの前記１つに前記クラウドソーシング問合せへの応答を返すこととをさらに備え、前記クラウドソーシング問合せへの前記応答が前記第２の制御パラメータと前記第２の測定パラメータとを備える、請求項１に記載の方法。
【請求項２０】
クラウドソーシング測定結果をモバイルデバイスから取得するためのサーバにおける方法であって、
前記モバイルデバイスに要求を送信することと、ここにおいて、前記要求は第１の制御パラメータと第１の測定パラメータとを備える、
前記モバイルデバイスから応答を受信することと、ここにおいて、前記応答は第２の制御パラメータと第２の測定パラメータとを備える、
複数の測定結果報告において前記モバイルデバイスから測定結果を受信することと、ここにおいて、前記測定結果は前記第２の制御パラメータに基づいて第１の複数の異なる時間において前記モバイルデバイスによって取得され、前記測定結果は前記第２の制御パラメータによって決定される第２の複数の異なる時間において前記モバイルデバイスによって送信される、
を備える、方法。
【請求項２１】
前記第２の制御パラメータが前記第１の制御パラメータと等価である、請求項２０に記載の方法。
【請求項２２】
前記第２の測定パラメータが前記第１の測定パラメータまたは前記第１の測定パラメータのサブセットと等価である、請求項２０に記載の方法。
【請求項２３】
前記第１の制御パラメータおよび前記第２の制御パラメータが各々、アクティブ化トリガパラメータ、測定トリガパラメータ、報告トリガパラメータ、および持続時間トリガパラメータのうちの少なくとも１つを備える、請求項２０に記載の方法。
【請求項２４】
前記アクティブ化トリガパラメータが、前記モバイルデバイスにおいてクラウドソーシングをアクティブ化および非アクティブ化するための条件を備え、前記第１の複数の異なる時間が、クラウドソーシングがアクティブ化される時間を備える、請求項２３に記載の方法。
【請求項２５】
前記アクティブ化トリガパラメータが、地理的エリアパラメータ、アクティブ化エリアパラメータ、非アクティブ化エリアパラメータ、国ネットワークパラメータ、検出される送信機パラメータ、ターゲット運動状態パラメータ、環境パラメータ、論理トリガ組合せパラメータ、アクティブ化遅延パラメータ、および非アクティブ化遅延パラメータのうちの少なくとも１つを備える、請求項２４に記載の方法。
【請求項２６】
前記測定トリガパラメータが、前記測定結果を取得するための条件を備え、前記第１の複数の異なる時間が、前記条件によって決定される時間を備える、請求項２３に記載の方法。
【請求項２７】
前記測定トリガパラメータが、測定周期パラメータ、測定移動パラメータ、測定階変化パラメータ、測定サービングセルまたはＡＰ変化パラメータ、および論理測定組合せパラメータのうちの少なくとも１つを備える、請求項２６に記載の方法。
【請求項２８】
前記報告トリガパラメータが、前記測定結果を前記サーバに送信するための条件を備え、前記第２の複数の異なる時間が、前記条件によって決定される時間を備える、請求項２３に記載の方法。
【請求項２９】
前記報告トリガパラメータが、リアルタイムパラメータ、準リアルタイムパラメータ、およびバッチパラメータのうちの少なくとも１つを備える、請求項２８に記載の方法。
【請求項３０】
前記リアルタイムパラメータが、前記報告トリガパラメータには含まれるが前記準リアルタイムパラメータまたは前記バッチパラメータには含まれず、前記第２の複数の異なる時間が、前記第１の複数の異なる時間または前記第１の複数の異なる時間のサブセットと等価である、請求項２９に記載の方法。
【請求項３１】
前記準リアルタイムパラメータが、前記報告トリガパラメータには含まれるが前記リアルタイムパラメータまたは前記バッチパラメータには含まれず、前記第２の複数の異なる時間のサブセットが、前記第１の複数の異なる時間のサブセットと等価である、請求項２９に記載の方法。
【請求項３２】
前記バッチパラメータが前記報告トリガパラメータには含まれるが前記リアルタイムパラメータまたは前記準リアルタイムパラメータには含まれず、前記第１の複数の異なる時間の各々において前記モバイルデバイスによって取得される前記測定結果が前記モバイルデバイスによって記憶され、前記モバイルデバイスによって送信される前記測定結果が前記第２の複数の異なる時間の各々において前記モバイルデバイスによって現在記憶されている前記測定結果を備え、前記第２の複数の異なる時間の各々が前記バッチパラメータに基づく、請求項２９に記載の方法。
【請求項３３】
前記バッチパラメータが、バッチ報告周期パラメータ、バッチ報告移動パラメータ、バッチサービングネットワーク変化報告パラメータ、バッチアクセスネットワーク制限パラメータ、およびバッチ記憶オーバーフローパラメータのうちの少なくとも１つを備える、請求項３２に記載の方法。
【請求項３４】
前記持続時間トリガパラメータが、クラウドソーシング開始時間パラメータおよびクラウドソーシング持続時間パラメータのうちの少なくとも１つを備える、請求項２３に記載の方法。
【請求項３５】
前記要求、前記応答、および各測定結果報告が、セッションＩＤを備える、請求項２０に記載の方法。
【請求項３６】
前記応答および各測定結果報告の中の前記セッションＩＤが、固定された匿名の値を備える、請求項３５に記載の方法。
【請求項３７】
前記モバイルデバイスにクラウドソーシング問合せを送信することと、
前記モバイルデバイスから前記クラウドソーシング問合せへの応答を受信することと、をさらに備え、前記クラウドソーシング問合せへの前記応答が前記第２の制御パラメータと前記第２の測定パラメータとを備える、請求項２０に記載の方法。
【請求項３８】
クラウドソーシング測定結果を第１のサーバに報告するためのモバイルデバイスであって、
第２のサーバから要求を受信するための受信機と、ここにおいて、前記要求は第１の制御パラメータと第１の測定パラメータとを備える、
前記第２のサーバに応答を返すための送信機と、ここにおいて、前記応答は第２の制御パラメータと第２の測定パラメータとを備える、
第１の複数の異なる時間において測定結果を取得するためのプロセッサと、ここにおいて、前記測定結果は前記第２の測定パラメータに基づき、前記第１の複数の異なる時間は前記第２の制御パラメータに基づく、
を備え、
前記送信機がさらに、第２の複数の異なる時間において、複数の測定結果報告の中で前記測定結果を前記第１のサーバに送信し、前記第２の複数の異なる時間が前記第２の制御パラメータに基づく、
モバイルデバイス。
【請求項３９】
前記第１のサーバがデータサーバであり、前記第２のサーバが制御サーバである、請求項３８に記載のモバイルデバイス。
【請求項４０】
前記第１の制御パラメータおよび前記第２の制御パラメータが各々、アクティブ化トリガパラメータ、測定トリガパラメータ、報告トリガパラメータ、および持続時間トリガパラメータのうちの少なくとも１つを備える、請求項３８に記載のモバイルデバイス。
【請求項４１】
前記複数の測定結果報告が固定された匿名の値を備える、請求項３８に記載のモバイルデバイス。
【請求項４２】
クラウドソーシング測定結果をモバイルデバイスから取得するためのサーバであって、
前記モバイルデバイスに要求を送信するための送信機と、ここにおいて、前記要求は第１の制御パラメータと第１の測定パラメータとを備える、
受信機であって、
前記モバイルデバイスから応答を受信することと、ここにおいて、前記応答は第２の制御パラメータと第２の測定パラメータとを備える、
複数の測定結果報告において前記モバイルデバイスから測定結果を受信することと、ここにおいて、前記測定結果は前記第２の制御パラメータに基づいて第１の複数の異なる時間において前記モバイルデバイスによって取得され、前記測定結果は前記第２の制御パラメータによって決定される第２の複数の異なる時間において前記モバイルデバイスによって送信される、
を行うための受信機と、
を備える、サーバ。
【請求項４３】
前記第２の制御パラメータが前記第１の制御パラメータと等価である、請求項４２に記載のサーバ。
【請求項４４】
前記第１の制御パラメータおよび前記第２の制御パラメータが各々、アクティブ化トリガパラメータ、測定トリガパラメータ、報告トリガパラメータ、および持続時間トリガパラメータのうちの少なくとも１つを備える、請求項４２に記載のサーバ。
【請求項４５】
前記複数の測定結果報告が固定された匿名の値を備える、請求項４２に記載のサーバ。
【請求項４６】
クラウドソーシング測定結果を第１のサーバに報告するためのモバイルデバイスであって、
第２のサーバから要求を受信するための手段と、ここにおいて、前記要求は第１の制御パラメータと第１の測定パラメータとを備える、
前記第２のサーバに応答を返すための手段と、ここにおいて、前記応答は第２の制御パラメータと第２の測定パラメータとを備える、
第１の複数の異なる時間において測定結果を取得するための手段と、ここにおいて、前記測定結果は前記第２の測定パラメータに基づき、前記第１の複数の異なる時間は前記第２の制御パラメータに基づく、
第２の複数の異なる時間において、複数の測定結果報告の中で前記測定結果を前記第１のサーバに送信するための手段と、ここにおいて、前記第２の複数の異なる時間は前記第２の制御パラメータに基づく、
を備える、モバイルデバイス。
【請求項４７】
前記第１のサーバがデータサーバであり、前記第２のサーバが制御サーバである、請求項４６に記載のモバイルデバイス。
【請求項４８】
前記第１の制御パラメータおよび前記第２の制御パラメータが各々、アクティブ化トリガパラメータ、測定トリガパラメータ、報告トリガパラメータ、および持続時間トリガパラメータのうちの少なくとも１つを備える、請求項４６に記載のモバイルデバイス。
【請求項４９】
前記複数の測定結果報告が固定された匿名の値を備える、請求項４６に記載のモバイルデバイス。
【請求項５０】
クラウドソーシング測定結果をモバイルデバイスから取得するためのサーバであって、
前記モバイルデバイスに要求を送信するための手段と、ここにおいて、前記要求は第１の制御パラメータと第１の測定パラメータとを備える、
前記モバイルデバイスから応答を受信するための手段と、ここにおいて、前記応答は第２の制御パラメータと第２の測定パラメータとを備える、
複数の測定結果報告において前記モバイルデバイスから測定結果を受信するための手段と、ここにおいて、前記測定結果は前記第２の制御パラメータに基づいて第１の複数の異なる時間において前記モバイルデバイスによって取得され、前記測定結果は前記第２の制御パラメータによって決定される第２の複数の異なる時間において前記モバイルデバイスによって送信される、
を備える、サーバ。
【請求項５１】
前記第２の制御パラメータが前記第１の制御パラメータと等価である、請求項５０に記載のサーバ。
【請求項５２】
前記第１の制御パラメータおよび前記第２の制御パラメータが各々、アクティブ化トリガパラメータ、測定トリガパラメータ、報告トリガパラメータ、および持続時間トリガパラメータのうちの少なくとも１つを備える、請求項５０に記載のサーバ。
【請求項５３】
前記複数の測定結果報告が固定された匿名の値を備える、請求項５０に記載のサーバ。
【請求項５４】
プログラムコードが記憶された、第１のサーバにクラウドソーシング測定結果を報告するためのモバイルデバイスのための非一時的コンピュータ可読記憶媒体であって、前記プログラムコードが、
第２のサーバから要求を受信することと、ここにおいて、前記要求は第１の制御パラメータと第１の測定パラメータとを備える、
前記第２のサーバに応答を返すことと、ここにおいて、前記応答は第２の制御パラメータと第２の測定パラメータとを備える、
第１の複数の異なる時間において測定結果を取得することと、ここにおいて、前記測定結果は前記第２の測定パラメータに基づき、前記第１の複数の異なる時間は前記第２の制御パラメータに基づく、
第２の複数の異なる時間において、複数の測定結果報告の中で前記測定結果を前記第１のサーバに送信することと、ここにおいて、前記第２の複数の異なる時間は前記第２の制御パラメータに基づく、を行うためのプログラムコードを備える、
非一時的コンピュータ可読記憶媒体。
【請求項５５】
前記第１のサーバがデータサーバであり、前記第２のサーバが制御サーバである、請求項５４に記載の非一時的コンピュータ可読記憶媒体。
【請求項５６】
前記第１の制御パラメータおよび前記第２の制御パラメータが各々、アクティブ化トリガパラメータ、測定トリガパラメータ、報告トリガパラメータ、および持続時間トリガパラメータのうちの少なくとも１つを備える、請求項５４に記載の非一時的コンピュータ可読記憶媒体。
【請求項５７】
前記複数の測定結果報告が固定された匿名の値を備える、請求項５４に記載の非一時的コンピュータ可読記憶媒体。
【請求項５８】
プログラムコードが記憶された、モバイルデバイスからクラウドソーシング測定結果をサーバが報告するための非一時的コンピュータ可読記憶媒体であって、前記プログラムコードが、
前記モバイルデバイスに要求を送信することと、ここにおいて、前記要求は第１の制御パラメータと第１の測定パラメータとを備える、
前記モバイルデバイスから応答を受信することと、ここにおいて、前記応答は第２の制御パラメータと第２の測定パラメータとを備える、
複数の測定結果報告において前記モバイルデバイスから測定結果を受信することと、ここにおいて、前記測定結果は前記第２の制御パラメータに基づいて第１の複数の異なる時間において前記モバイルデバイスによって取得され、前記測定結果は前記第２の制御パラメータによって決定される第２の複数の異なる時間において前記モバイルデバイスによって送信される、を行うためのプログラムコードを備える、
非一時的コンピュータ可読記憶媒体。
【請求項５９】
前記第２の制御パラメータが前記第１の制御パラメータと等価である、請求項５８に記載の非一時的コンピュータ可読記憶媒体。
【請求項６０】
前記第１の制御パラメータおよび前記第２の制御パラメータが各々、アクティブ化トリガパラメータ、測定トリガパラメータ、報告トリガパラメータ、および持続時間トリガパラメータのうちの少なくとも１つを備える、請求項５８に記載の非一時的コンピュータ可読記憶媒体。
【請求項６１】
前記複数の測定結果報告が固定された匿名の値を備える、請求項５８に記載の非一時的コンピュータ可読記憶媒体。